(57)【特許請求の範囲】
【請求項１】
内容物の充填空間につながる口部を有する容器本体と、この容器本体の口部に設けられ、詰替えるべき容器の口部にあてがって該充填空間内の内容物を排出する注出栓とを備えた詰替え容器であって、
前記注出栓が、前記詰替えるべき容器の口部に連係するベースと、このベースに一体連結し、その相互間にて上部へ向けて開放された環状溝を形成するとともに、その先端部を通して充填空間内の内容物を前記詰替えるべき容器の内部へと送給する挿入管体とを備え、
前記挿入管体の先端部に、ヒンジを介して揺動可能に連結保持され、前記詰替えるべき容器に設けられた押し込み部材を押し込むことによって該挿入管体の内側で傾倒させて内容物の注出経路を開放する閉塞弁体を設け、
前記閉塞弁体は、前記挿入管体の先端部において嵌合する固定部材と、この固定部材にヒンジを介して揺動可能に連結保持され、前記挿入管体の先端部に形成された座面に当接して内容物の注出経路を密閉する弁本体とを備え、
前記弁本体と前記固定部材との相互間に、前記弁本体を前記座面に当接させて閉塞姿勢を維持するが、前記押し込み部材の押し込みに伴って引きちぎられるか若しくは引き伸ばされてヒンジによる前記弁本体の揺動を可能とする少なくとも一つの連結薄肉片を有するたことを特徴とする詰替え容器。
【請求項２】
内容物の充填空間につながる口部を有する容器本体と、この容器本体の口部に設けられ、詰替えるべき容器の口部にあてがって該充填空間内の内容物を排出する注出栓とを備えた詰替え容器であって、
前記注出栓が、前記詰替えるべき容器の口部に連係するベースと、このベースに一体連結し、その相互間にて上部へ向けて開放された環状溝を形成するとともに、その先端部を通して充填空間内の内容物を前記詰替えるべき容器の内部へと送給する挿入管体とを備え、
前記挿入管体の先端部に、ヒンジを介して揺動可能に連結保持され、前記詰替えるべき容器に設けられた押し込み部材を押し込むことによって該挿入管体の内側で傾倒させて内容物の注出経路を開放する閉塞弁体を設け、
前記閉塞弁体は、前記ヒンジの対向位置に、前記弁本体と前記挿入管体とを相互につないで内容物の注出経路を閉塞する一方、前記押し込み部材の押し込みに伴って離反可能な連結片を有する、詰替え容器。
【発明の詳細な説明】
【技術分野】
【０００１】
本発明は、詰替え容器に関するものであり、内容物の漏れ出しを起したり、手や衣服を汚すことなしに効率的に内容物を移し替えようとするものである。
【背景技術】
【０００２】
シャンプーやリンス、洗剤、消臭除菌剤あるいは化粧品等を入れる容器としては、内容物の適量取り出しを可能とするためにポンプの如き吐出器が備えられたものが数多く上市されており、内容物を使いきったのちは、別途に市販されている詰替え容器から新たな内容物を移し替えて元の容器（詰替えるべき容器）を再利用するのが普通になってきており、これによって資源の有効活用が図られている（例えば、特許文献１参照）。
【０００３】
ところで、詰替え容器はもともと、パウチタイプの容器や薄肉のブロー成形品等腰がない（剛性が低い）容器が適用されており内容物の詰替えが行い難く、例えば特許文献１のように二つの容器をねじを介して連結したのち内容物の移し替えを行うなど、これまでに種々の提案がなされてきてはいるものの、従来の詰替え容器では詰替え作業に手間がかかることからその改善が求められていた。
【先行技術文献】
【特許文献】
【０００４】
【特許文献１】特開２０００−１５９２４９号公報
【発明の概要】
【発明が解決しようとする課題】
【０００５】
本発明の課題は、内容物の漏れ出し等の不具合を起すことなしに効率よく内容物を移し替えることができる新規な詰替え容器を提案するところにある。
【課題を解決するための手段】
【０００６】
本発明は、内容物の充填空間につながる口部を有する容器本体と、この容器本体の口部に設けられ、詰替えるべき容器の口部にあてがって該充填空間内の内容物を排出する注出栓とを備えた詰替え容器であって、
前記注出栓が、前記詰替えるべき容器の口部に連係するベースと、このベースに一体連結し、その相互間にて上部へ向けて開放された環状溝を形成するとともに、その先端部を通して充填空間内の内容物を前記詰替えるべき容器の内部へと送給する挿入管体とを備え、
前記挿入管体の先端部に、ヒンジを介して揺動可能に連結保持され、前記詰替えるべき容器に設けられた押し込み部材を押し込むことによって該挿入管体の内側に向けて傾倒させて内容物の注出経路を開放する閉塞弁体を設けたことを特徴とする詰替え容器である。
【０００７】
上記の詰替え容器においては、閉塞弁体を、前記挿入管体の先端部において嵌合する固定部材と、この固定部材にヒンジを介して揺動可能に連結保持され、前記挿入管体の先端部に形成された座面に当接して内容物の注出経路を密閉する弁本体とによって構成することが好ましく、この場合、弁本体と前記固定部材との相互間には、該弁本体を該座面に当接させて密封姿勢を維持するが、前記押し込み部材の押し込みに伴って引きちぎられるか若しくは引き伸ばされてヒンジによる前記弁本体の揺動を可能とする連結薄肉片を設けておくのが望ましい。
【０００８】
また、閉塞弁体には、前記ヒンジの対向位置に、前記弁本体と前記挿入管体とを相互につないで内容物の注出経路を閉塞する一方、前記押し込み部材の押し込みに伴って離反可能な連結片を設けておくこともできる。
【０００９】
容器本体としては、容器の外観形状が内容物の充填量の増減に係わりなく変形しないタイプのものを適用することができるが、内容物の充填量が減るにしたがって縮減する薄肉タイプのものを適用することも可能であり、また、挿入管体としては、内容物の詰替え姿勢において詰替えるべき容器の少なくとも口部下端域（ビジブルライン）まで達する挿入長さを有するもの適用するのが好ましい。
【発明の効果】
【００１０】
詰替え容器の挿入管体を、詰替えるべき容器の口部から差し入れて押し込み部材によって先端部を押し込むことによって弁本体がヒンジを介して傾倒しこれにより初めて内容物の送給経路が開通することになるため簡単な操作で内容物の詰替えが行える。内容物の詰替えに際して挿入管体の先端部は、詰替えるべき容器の口部の奥底に存在するため、内容物がこぼれ出たり、手や衣服に付着することもない。
【００１１】
挿入管体を、詰替えるべき容器の少なくとも口部下端域に達するような挿入長さにしておくことで、詰替えにかかる内容物が挿入管体の先端部に到達した際に内容物の供給が自動的に終了することになり、例えば、詰替え容器に複数回の詰替えを行うために大量の内容物が充填されている場合に、詰替え毎に内容物の適量排出が可能となる。
【００１２】
挿入管体の先端部に、ヒンジを介して揺動可能に連結した閉塞弁体を設けることで、詰替えを終えて挿入管体を引き抜く時に該閉塞弁体が初期姿勢に戻ることになるため、内容物がたれ落ちることはない。
【図面の簡単な説明】
【００１３】
【図１】本発明にしたがう詰替え容器の実施の形態を示した図である。
【図２】図１に示した詰替え容器の要部拡大図である。
【図３】図１に示した詰替え容器の要部の外観斜視図である。
【図４】詰替えるべき容器の断面を示した図である。
【図５】図１に示した詰替え容器の詰替え要領の説明図である。
【図６】図１に示した詰替え容器の詰替え要領の説明図である。
【図７】本発明にしたがう詰替え容器の他の実施の形態を示した図である。
【図８】図7に示した詰替え容器の詰替え状況を示した図である。
【図９】本発明にしたがう詰替え容器に関連する参考技術を示した図である。
【発明を実施するための形態】
【００１４】
以下、図面を参照して本発明をより具体的に説明する。
図１は、本発明にしたがう詰替え容器の実施の形態を模式的に示した図であり、図２は図１の要部拡大図である。
【００１５】
図における１は、詰替えるべき内容物が充填された容器本体である。容器本体１はその内側に充填空間Ｍが形成されており、その上端には、該充填空間Ｍにつながる口部１ａが設けられていて、内容物の充填量が減るにしたがい本体そのものが縮減する袋状あるいは超薄肉タイプのブローボトルを適用することができるが、内容物の充填量が減っても本体そのものの形状が変化することのない比較的剛性の高いブローボトル等を用いてもよい。
【００１６】
２は、容器本体１の口部１ａに設けられ、詰替えるべき容器の口部にあてがって充填空間Ｍ内の内容物を排出する注出栓、３は、保管時などにおいて注出栓２の外表面にゴミが付着するのを防止して衛生上好ましい状態に維持するためのオーバーキャップである。
【００１７】
注出栓２は、図２に示すように、詰替える容器の口部に連係する環状のベース２ａと、充填空間Ｍ内の内容物を詰替えるべき容器（元の容器）の内部空間へと送給する送給経路ｅをもった挿入管体２ｂから構成されており、該ベース２ａと挿入管体２ｂとの相互間には、上部へ向けて開放された環状溝２ｃが形成されている。
【００１８】
ベース２ａは、外周壁２ａ１と、この外周壁２ａ1の内側に環状隙間ｔを残して一体連結する内周壁２ａ２と、この内周壁２ａ２の下端で挿入管体２ｂに連結する底板２ａ３からなり、このうち、内周壁２ａ２には、その軸心に沿う向きで切り込まれた先端開放型のスリットＳがその周りに間隔をおいて複数設けられた連結筒ｇが一体的に配置されていて、元の容器と詰替え容器とを連結する際に連結筒ｇの先端部分が弾性変形し、その復元力でもって相互連結を確実に行うようになっている。
【００１９】
連結筒ｇの下端に位置する内周壁２ａ２の外周壁には、内容物の詰替え時に後述する押し込み部材の連結筒との相互間で空気置換用の通路を形成する縦長の細溝ｈがスリットＳに沿って少なくとも１本形成されている。この細溝ｈとスリットＳを通して外気を容器内に取り入れて内容物の効率的な詰替えを行う。本発明では、注出栓２を用いた場合について図示したが、元の容器との連係が可能であり、なおかつ詰替え容器内の内容物を移し替えることができるものであればノズルヘッドを備えたキャップの如きタイプのものを用いてもよい。
【００２０】
また、４は、挿入管体２ｂの先端部に設けられた閉塞弁体である。この閉塞弁体４は、挿入管体２ｂの先端部内側においてアンダーカットの如き手段にて嵌合する固定部材４ａと、この固定部材４ａにヒンジ４ｂを介して揺動可能に連結保持され、挿入管体２ｂの先端部内側面に形成された座面２ｂ１に当接して先端開口を閉塞する弁本体４ｃから構成されており、弁本体４ｃの両側（片側だけでもよい。）には、図３にその要部の外観斜視図を示すように、弁本体４ｃと固定部材４ａとを相互につなぐロック用の連結薄肉片（矩形状の薄肉片）４ｄが一体的に設けられている（少なくとも一つあればよい。）。
【００２１】
なお、弁本体４ｃと座面２ｂ１とはその相互間において軽く接着あるいは融着させておくことが可能で、これによりシール性を高めることもできる。また、この接着あるいは融着は、後述する元の容器の突起で弁本体４ｃが押し込まれた際に容易に弁本体４ｃが開口する程度の接着強度、融着強度をもたせておくのが望ましい。
【００２２】
連結薄肉片４ｄは、弁本体４ｃを座面２ｂ１に当接させて密封姿勢（初期姿勢）を維持するためのものであって、後述する押し込み部材の押し込みによる弁本体４ｃの傾動に伴って引きちぎられるか、あるいは引き伸ばされる（塑性変形する場合、弾性変形する場合を含む）。ここに、弁本体４ｃと座面２ｂ１とは予め離反可能に接着、融着されていて、これによりシール性を高め、商品の流通段階での内容物が漏れを防止している。
【００２３】
図４は、本発明にしたがう詰替え容器の内容物を移し替えるための容器（内容物を詰替えるべき容器であって以下、元の容器と記す。）を示した図である。図における５は、元の容器であり、６は、元の容器５の口部５ａに固定保持された押し込み部材である。
【００２４】
押し込み部材６は、元の容器５の口部５ａを差し込む環状溝を形成する基部（外筒６ａ１と筒６ａ２からなる。）６ａと、この基部６ａの天壁において起立し、注出栓２の環状隙間ｔ（図２参照）においてねじ、あるいはアンダーカットによって着脱自在に係合する連結筒６ｂと、基部６ａの内筒６ａ２にアームＬを介してつながり元の容器５の口部中央部でその下端域から立ち上がるガイド６ｃと、このガイド６ｃの立ち上がり基端に設けられ、挿入管体２ｂの先端部の閉塞弁体４に向けて押し込んで弁本体４ｃを座面２ｂ１から離反、内容物の注出経路ｅ内で傾倒させる突起６ｄから構成されている。
【００２５】
ガイド６ｃとしては、挿入管体２ｂの外周壁に沿う誘導面ｆを有し、かつ先端にいくにしたがい誘導面ｆの領域を狭めた先細り形状をなす半円状の筒体からなるものを例として示したが、その基端からの立ち上がり長さは、詰替え容器の、元の容器５へのセット状態で注出栓２の内周壁２ａ２の下端に設けられた底板２ａ３に当接する長さとなっているのがとくに有効であり、これにより詰替え容器の、元の容器５に対するセット姿勢が安定化する。
【００２６】
図５に示すように、ガイド６ｃの誘導面ｆに沿って挿入管体２ｂを元の容器５の口部５ａ内に差し込んでいき、図６に示す如く、突起６ｄによって弁本体４ｃを押し込むと連結薄肉片４ｄが徐々に伸びていくか、あるいは破断され、それに伴い、該弁本体４ｃがヒンジ４ｂを介して傾倒し、これにより送給経路ｅが開通して詰替え容器内の内容物が元の容器５へと流出すると同時に内周壁２ａ２の外側壁に設けられた細溝ｈを通して空気が容器内へ導入されて（空気置換）内容物の詰替えが開始される。
【００２７】
そして、元の容器５に内容物が充填され、該内容物が挿入管体２ｂの先端部にまで達すると、空気置換は行われなくなり内容物の流出が自動的に停止し、ここで元の容器５への詰替えが完了する。
【００２８】
内容物の詰替えが完了し、挿入管体２ｂを引き抜くと弁本体４ｃは自重、残存内容物による押し付け力により元の姿勢に戻ることになり、送給経路ｅの開通によって形成された隙間は閉じられるため、内容物が容器本体１に残っていても簡単にたれ落ちることはない。連結薄肉片４ｄが板ばねの如き弾性部材にて構成されている場合には、その復元力で弁本体４ｃが元の姿勢に戻る。
【００２９】
内容物の詰替えに際しては、細溝ｈによって形成される通路を通して空気が容器内へ導入され（空気置換）るが、容器本体１が内容物の排出に伴って減容するものであれば該細溝ｈは設けられていなくてもとくに問題なしに詰替えは行うことができる。また、図２、図４において仮想線で示すように、注出栓２の底板２ａ３の設置位置を外周壁２ａ１の上下方向の中央部（押し込み部材６の連結筒６ｂの先端に対応する位置。）とすることで詰替えを終えて容器を正位に戻した時に内容物が環状溝２ｃ内に残存するのを極力防止することができる。
【００３０】
容器本体１に残った内容物を詰替えるには、ガイド６ｃの誘導面ｆに沿って挿入管体２ｂを元の容器５の口部５ａ内に再度、差し込んでいき、突起６ｄによって閉塞弁体４を押し込み送給経路ｅを開通させて詰替え容器内の内容物を元の容器５へと流出させればよい。
【００３１】
図７は、本発明にしたがう詰替え容器の他の実施の形態を要部について示した図である。図における７は、弁本体４ｃの端縁に設けられ、挿入管体２ｂの座面２ｂ１につながる薄肉舌片（連結片）、８は、薄肉舌片７の対向位置の端縁に設けられ、切り離し不能に接着、融着させた薄肉舌片、９は、薄肉舌片８に設けられたヒンジである。
【００３２】
かかる構成の詰替え容器は、該容器の開封前、すなわち、弁本体４ｃの押し込み前は、薄肉舌片８が、挿入管体２ｂの座面２ｂ１に接着、融着された状態にあって、挿入管体２ｂの先端開口は、該弁本体４ｃによって閉塞されているが、ガイド６ｃの誘導面ｆに沿って挿入管体２ｂを元の容器５の口部５ａ内に差し込み、突起６ｄによって弁本体４ｃが押し込まれた場合に、図８に示すように、薄肉舌片７は、挿入管体２ｂの座面２ｂ１から離反するとともに該弁本体４ｃがヒンジ９を介して傾倒するものであり、これによって送給経路ｅが開通して詰替え容器内の内容物が元の容器５へと流出する。なお、薄肉舌片８は、挿入管体２ｂの座面２ｂ１に接着、融着された場合を例として示したが、該薄肉舌片８は、アンダーカットの如き係合手段を用い嵌合によって固定してもよい。
【００３３】
この例の詰替え容器も、内容物の詰替えが完了し、挿入管体２ｂを引き抜くとき、弁本体４ｃは自重、あるいは残存内容物による押し付け力により元の姿勢に戻ることになり、挿入管体２ｂの先端開口はすぐさま閉じられ、内容物が容器本体１に残っていても簡単にたれ落ちることはない。弁本体４ｃが元の姿勢に戻るとき、薄肉舌片７は、座面２ｂ１に当接して弁本体４ｃの受け部として機能する。
【００３４】
薄肉舌片７は、座面２ｂ１からの容易な離反が可能であるならば複数設けてもよく、この点については限定されない。また、この薄肉舌片７は、座面２ｂ１に軽く接着、融着させておくことが可能であり、これによりシール性をより高めることもできる。接着、融着強度については、元の容器５の突起６ｄが押し込まれた際に容易に開口し、かつ薄肉舌片８よりも弱い強度とするのが望ましい。
【００３５】
図９は、本発明にしたがう詰替え容器に関連する参考技術をその要部について示した図である。この例は、薄肉舌片８によって挿入管体２ｂの先端部内側に弁本体４ｃを固定保持するとともに該弁本体４ｃを直接、座面２ｂ１に当接させて挿入管体２ｂの先端開口を閉じるようにしたものである。
【００３６】
容器の開封前は、弁本体４ｃが挿入管体２ｂの座面２ｂ１に離反可能に当接（接着、融着されていてもよいしされていなくともよい。）していて挿入管体２ｂの先端開口は閉塞状態に保持されているが、ガイド６ｃの誘導面ｆに沿って挿入管体２ｂを元の容器５の口部５ａ内に差し込み、突起６ｄによって弁本体４ｃが傾倒すると挿入管体２ｂの先端開口が開放されて送給経路ｅが開通する。
【００３７】
本発明にしたがう詰替え容器の閉塞弁体４は、何れのものも、挿入管体２ｂの内側から固定する構造ものとして図示したが、挿入管体２ｂを元の容器５の口部５ａから引き抜く際に弁本体４ｃが挿入管体２ｂの先端開口を閉塞させることができるものであれば、挿入管体２ｂの外側から固定するものであってもよく、この点についても限定はされない。
【００３８】
詰替え容器は、構成部材の全てを合成樹脂にて構成することが可能であり、容器の廃棄に際しては、部材毎に分別する手間を省くことができる。
【００３９】
矩形状の薄肉片にて構成することができるロック用の連結薄肉片４ｄについては、例えば板ばねの如き弾性部材を適用することも可能であることは前述したが、このような弾性部材は上掲図７、図９に示した詰替え容器においても適用できるものであって、これにより弁本体４ｃを常に座面２ｂ１に当接させる向きに付勢しておくことが可能となるので、詰替えに際して容器本体１内に内容物が残っていても、容器本体１の確実な密閉が行える。
【００４０】
なお、本発明にしたがう詰替え容器は、内容物を排出する手段として注出栓を適用する場合について説明したが、容器の開封前には座面２ｂ１に当接しており、元の容器５の突起６ｄが押し込まれた時に該座面２ｂ１から離反する弁本体４ｃが存在するものであればその形状を適宜変更することが可能であり、例えばノズルタイプのものを適用してもかまわない。
【産業上の利用可能性】
【００４１】
内容物のたれ落ちや手、衣服への付着を回避することが可能で、かつ、簡単な操作のもとで内容物の移し替えを行い得る詰替え容器が提供できる。
【符号の説明】
【００４２】
１      容器本体
１ａ    口部
１ｂ    胴体部分
２      注出栓
２ａ    べース
２ｂ    挿入管体
２ｃ    環状溝
３      オーバーキャップ
４      閉塞弁体
４ａ    固定部材
４ｂ    ヒンジ
４ｃ    弁本体
４ｄ    連結薄肉片
５      元の容器
５ａ    口部
６      押し込み部材
６ａ    基部
６ｂ    連結筒
６ｃ    ガイド
６ｄ    突起
７      薄肉舌片
８      薄肉舌片
９      ヒンジ
ｔ      環状隙間
Ｓ      スリット
ｇ      連結筒
ｈ      細溝
ｅ      送給経路
ｆ      誘導面
【図１】
0005467818.tif 000002
【図２】
0005467818.tif 000003
【図３】
0005467818.tif 000004
【図４】
0005467818.tif 000005
【図５】
0005467818.tif 000006
【図６】
0005467818.tif 000007
【図７】
0005467818.tif 000008
【図８】
0005467818.tif 000009
【図９】
0005467818.tif 000010